【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
検鏡と共に医学的検査における使用のために構成される膣内撮像デバイスであって、
細長い筐体を備えており、
前記細長い筐体は、
遠位端を封止するように構成されたエンドキャップ窓、
対象に焦点を合わせるように構成された第１のレンズグループおよび第２のレンズグループを備える、前記窓の背後に配置される対物レンズ、
前記対物レンズから画像を検出するように構成された、前記対物レンズの背後に配置される画像検出器、ならびに
前記対象を１つまたは複数の特定の波長または波長帯域において直接的または間接的に照明するように構成された発光ダイオード（LED）を備える光源
をさらに備える前記遠位端と、
前記画像検出器と通信する接続部をさらに備える近位端と
を備え、
前記膣内撮像デバイスは、前記検鏡の顎部内へ挿入され、前記検鏡のスペーサ内に置かれ、前記接続部は、前記画像検出器から外部デバイスへ前記画像を伝達するように構成される、
膣内撮像デバイス。
【請求項２】
前記第１のレンズグループが、可変レンズを備え、前記第２のレンズグループが、１つまたは複数の固定レンズを備える、請求項１に記載の膣内撮像デバイス。
【請求項３】
前記可変レンズが、液体レンズをさらに備える、請求項２に記載の膣内撮像デバイス。
【請求項４】
実質的に同心の開口および前記細長い筐体の遠位端の外径を受け入れるように構成された開口直径を備える、前記細長い筐体の遠位端に配置される実質的にリング状の膣拡張器をさらに備え、
前記膣拡張器は、前記細長い筐体の遠位端の外径よりも大きい、実質的に円形の外径を備える、請求項１に記載の膣内撮像デバイス。
【請求項５】
前記接続部が、前記画像検出器から前記外部デバイスへ前記画像を無線で伝達するように構成される、請求項１に記載の膣内撮像デバイス。
【請求項６】
前記細長い筐体の近位端が、第１の中央軸を有し、前記遠位端が、第２の中央軸を有しており、
前記第１の中央軸と前記第２の中央軸とが、平行でない、請求項１に記載の膣内撮像デバイス。
【請求項７】
前記細長い筐体が、衛生的に封止される、請求項１に記載の膣内撮像デバイス。
【請求項８】
可変光学開口をさらに備える、請求項１に記載の膣内撮像デバイス。
【請求項９】
前記可変光学開口が、液晶ディスプレイをさらに備える、請求項８に記載の膣内撮像デバイス。
【請求項１０】
前記光源が、前記窓の背後に配置される、請求項１に記載の膣内撮像デバイス。
【請求項１１】
前記細長い筐体の遠位端が、前記エンドキャップ窓、前記対物レンズ、前記画像検出器、および前記光源と共通の光軸をさらに備える、請求項１に記載の膣内撮像デバイス。
【請求項１２】
関心領域のサイズを示すために、前記画像検出器において収集された画像上に目盛りを重ね合わせるようにさらに構成される、請求項１に記載の膣内撮像デバイス。
【請求項１３】
前記光源が、第１の波長を有する第１のＬＥＤおよび第２の波長を有する第２のＬＥＤを備える、請求項１に記載の膣内撮像デバイス。
【請求項１４】
前記実質的にリング状の膣拡張器を、前記細長い筐体の前記遠位端に対して取り外し可能に取り付けるように構成された取り付け手段をさらに備える、請求項４に記載の膣内撮像デバイス。
【請求項１５】
前記対物レンズが、自動焦点機構を備える、請求項１に記載の膣内撮像デバイス。
【請求項１６】
婦人科検査システムであって、
第１の画像を生成するように構成された膣内撮像デバイスであって、細長い筐体を備えており、
前記細長い筐体は、
遠位端を封止するように構成されたエンドキャップ窓、
対象に焦点を合わせるように構成された第１のレンズグループおよび第２のレンズグループを備える、前記窓の背後に配置される対物レンズ、
前記対物レンズから前記第１の画像を検出するように構成された、前記対物レンズの背後に配置される画像検出器、ならびに
前記対象を１つまたは複数の特定の波長または波長帯域において直接的または間接的に照明するように構成された発光ダイオード（LED）を備える光源
をさらに備える前記遠位端、ならびに
前記画像検出器と通信する接続部をさらに備える近位端
をさらに備え、
前記膣内撮像デバイスは、検鏡と共に使用されるように構成され、前記接続部は、前記画像検出器から画像プロセッサへ前記第１の画像を伝達するように構成される、
膣内撮像デバイスと、
生成された前記第１の画像から独立した第２の画像を生成するように構成された撮像システムと、
前記膣内撮像デバイスからの前記第１の画像および前記撮像システムからの前記第２の画像を受信し、表示のための１つまたは複数の処理された画像を生成するために、前記第１の画像および前記第２の画像を向上および／または改善させるように構成された前記画像プロセッサと、
前記１つまたは複数の処理された画像を表示するように構成された画像ディスプレイと
を備える、婦人科検査システム。
【請求項１７】
前記撮像システムが、超音波撮像ユニット、磁気共鳴断層撮影（MRT）ユニット、およびコンピュータ断層撮影（CT）スキャンユニットから成る群のうちの１つまたは複数から選択される、請求項１６に記載のシステム。
【請求項１８】
医師による患者に対する膣内撮像デバイスの使用のための方法であって、
前記膣内撮像デバイスを検鏡の顎部内へ挿入するステップと、
前記膣内撮像デバイスを前記検鏡のスペーサ内に置くステップと、
前記検鏡および前記膣内撮像デバイスを前記患者の子宮頸部の付近に置くステップと、
前記膣内撮像デバイスを用いて、前記子宮頸部の画像をキャプチャするステップと
を含む、方法。
【請求項１９】
前記膣内撮像デバイスが、細長い筐体を備えており、前記細長い筐体は、
遠位端を封止するように構成されたエンドキャップ窓、
対象に焦点を合わせるように構成された第１のレンズグループおよび第２のレンズグループを備える、前記窓の背後に配置される対物レンズ、
前記対物レンズから前記画像を検出するように構成された、前記対物レンズの背後に配置される画像検出器、ならびに
前記対象を１つまたは複数の特定の波長または波長帯域において直接的または間接的に照明するように構成された発光ダイオード（LED）を備える光源
をさらに備える前記遠位端、ならびに
前記画像検出器と通信する接続部をさらに備える近位端
をさらに備え、
前記接続部は、前記画像検出器から外部デバイスへ前記画像を伝達するように構成される、
請求項１８に記載の方法。
【請求項２０】
前記細長い筐体の前記遠位端が、１２．７ｍｍから２５．７ｍｍまでの範囲の直径を備える、請求項１に記載の膣内撮像デバイス。
【請求項２１】
医学的検査における使用のために構成される膣内撮像デバイスであって、
近位端および遠位端を備える細長い筐体であって、前記遠位端を封止するように構成されたエンドキャップ窓をさらに備える、細長い筐体と、
実質的に同心の開口および前記細長い筐体の遠位端の外径を受け入れるように構成された開口直径を備える、前記細長い筐体の遠位端に配置される実質的にリング状の膣拡張器であって、前記細長い筐体の遠位端の外径よりも大きい、実質的に円形の外径を備える、膣拡張器と
を備える、膣内撮像デバイス。
【請求項２２】
前記実質的にリング状の膣拡張器を、前記細長い筐体の前記遠位端に対して取り外し可能に取り付けるように構成された取り付け手段をさらに備える、請求項２１に記載の膣内撮像デバイス。
【請求項２３】
前記遠位端が、対象を１つまたは複数の特定の波長または波長帯域において直接的または間接的に照明するように構成された発光ダイオード（LED）を備える光源をさらに備える、請求項２１に記載の膣内撮像デバイス。
【請求項２４】
対象に焦点を合わせるように構成されたレンズを備える、前記窓の背後に配置される対物レンズと、前記対物レンズから画像を検出するように構成された、前記対物レンズの背後に配置される画像検出器とをさらに備える、請求項２１に記載の膣内撮像デバイス。